(57)【要約】【課題】タクティールスイッチについての表示を容易に変更可能な操作パネルを提供すること。【解決手段】操作パネル１０は、タクティールスイッチ４０と、押圧部材５０と、意匠シール６０と、表面シート８０とを備えている。押圧部材５０は、タクティールスイッチ４０の上に配置されている。意匠シール６０は、押圧部材５０の上面５０Ｕに貼りつけられている。表面シート８０は、平面部８２と、エンボス部８６とを有している。エンボス部８６は、平面部８２から上方に張り出している。エンボス部８６は、透明部８６８を有している。透明部８６８を上方から見たとき、意匠シール６０を少なくとも部分的に視認可能である。【選択図】図１３
2019186018.tif 000002
【特許請求の範囲】
【請求項１】
タクティールスイッチと、押圧部材と、意匠シールと、ケースと、表面シートとを備えた操作パネルであって、
前記押圧部材は、前記タクティールスイッチの上に配置されており、
前記押圧部材を下方に押圧すると前記タクティールスイッチの状態が切り替わり、
前記意匠シールは、前記押圧部材の上面に貼りつけられており、
前記ケースは、平板部を有しており、
前記平板部には、上下に開口した通過孔が形成されており、
前記押圧部材は、少なくとも部分的に前記通過孔の内部に位置しており、
前記表面シートは、平面部と、エンボス部とを有しており、
前記平面部は、前記平板部の上面に配置されており、
前記エンボス部は、前記平面部から上方に張り出しており、
前記エンボス部は、透明部を有しており、
前記透明部は、少なくとも部分的に前記通過孔の上に位置しており、
前記透明部を上方から見たとき、前記意匠シールを少なくとも部分的に視認可能である
操作パネル。
【請求項２】
請求項１記載の操作パネルであって、
前記透明部全体が前記通過孔の上に位置している
操作パネル。
【請求項３】
請求項１又は請求項２記載の操作パネルであって、
前記エンボス部は、立上り部と、頂面部とを有しており、
前記立上り部は、前記平面部から上方に向かって延びており、
前記頂面部は、前記立上り部に支持されて平面状に延びており、
前記透明部は、前記頂面部の一部である
操作パネル。
【請求項４】
請求項１から請求項３までのいずれかに記載の操作パネルであって、
前記タクティールスイッチは、押釦を有しており、
前記押釦を下方に押圧すると前記タクティールスイッチの前記状態が切り替わり、
前記押圧部材は、前記押釦に取り付けられたキートップであり、
前記意匠シールは、前記キートップの上面に貼りつけられている
操作パネル。
【請求項５】
請求項４記載の操作パネルであって、
前記操作パネルは、基板を備えており、
前記タクティールスイッチは、前記基板上に取り付けられており、
前記ケースは、周壁部を有しており、
前記周壁部は、前記通過孔の内壁から前記基板まで下方に延びており、これにより、前記周壁部によって囲まれた被囲い領域が形成されており、
前記基板には、光源が設けられており、
前記光源は、前記被囲い領域内に位置しており、
前記キートップは、光透過性材料からなり、
前記意匠シールは、遮光部と、透光部とを有しており、
前記透光部は、前記遮光部に囲まれており、
前記透明部を上方から見たとき、前記遮光部の一部と前記透光部のみが視認可能である
操作パネル。
【請求項６】
請求項１から請求項５までのいずれかに記載の操作パネルであって、
前記操作パネルは、複数の前記タクティールスイッチと、前記タクティールスイッチに夫々対応する複数の前記押圧部材と、前記タクティールスイッチに夫々対応する複数の前記意匠シールと、１つの前記表面シートとを備えており、
前記表面シートは、１つの前記平面部と、前記タクティールスイッチに夫々対応する複数の前記エンボス部とを有しており、
前記平面部及び前記エンボス部は、互いに一体に形成されている
操作パネル。
【発明の詳細な説明】
【技術分野】
【０００１】
本発明は、タクティールスイッチを備えた操作パネルに関する。
【背景技術】
【０００２】
例えば、特許文献１には、タクティールスイッチが開示されており、特許文献２には、タクティールスイッチを備えたパネルスイッチが開示されている。
【０００３】
図１４を参照すると、特許文献１に開示されたタクティールスイッチ９０は、２つの固定接点９１２と、固定接点９１４と、弾性変形可能な（反転可能な）ドーム状の可動接点９２と、押圧操作可能な押釦９３とを備えている。可動接点９２は、２つの固定接点９１２に接続されている。押釦９３が押下されていないとき、可動接点９２は、固定接点９１４から離れており、タクティールスイッチ９０は、非導通状態（ＯＦＦ状態）にある。押釦９３が押下されると、可動接点９２が固定接点９１４と接触し、これにより、固定接点９１２及び固定接点９１４は、可動接点９２を経由して互いに電気的に接続される。この結果、タクティールスイッチ９０の状態は、非導通状態から導通状態（ＯＮ状態）に切り替わる。押釦９３を押下する際、可動接点９２が反転することでクリック感が得られる。
【０００４】
図１５を参照すると、特許文献２に開示されたパネルスイッチ９４は、基板９５と、押圧操作に応じて動作するスイッチ９６（タクティールスイッチ）と、スイッチ９６に取り付けられたキートップ９７と、スイッチ収容孔９８２が形成された板状ハウジング（ケース）９８と、エンボス加工部（エンボス部）９９２が形成された表面シート９９とを備えている。スイッチ９６は、キートップ９７と共にスイッチ収容孔９８２に収容されており、且つ、基板９５に取り付けられている。エンボス部９９２は、キートップ９７の上に位置している。エンボス部９９２を押圧操作すると、スイッチ９２が押圧されてＯＮ状態に切り替わる。
【先行技術文献】
【特許文献】
【０００５】
【特許文献１】特開平１０−１３４６６７号公報
【特許文献２】特開平９−３０６２７８号公報
【発明の概要】
【発明が解決しようとする課題】
【０００６】
一般的に、特許文献２のようなタクティールスイッチを使用する場合、表面シートに「電源ボタン」といったタクティールスイッチについての表示が印刷されている。従って、タクティールスイッチの用途を変えるような場合、表面シートを取り換える必要がある。特に、特許文献２のようなタクティールスイッチは、機械操作用の操作パネルに使用される場合がある。このような操作パネルは、複数のタクティールスイッチと、タクティールスイッチに夫々対応する複数のエンボス部が形成された１枚の表面シートとを備えている。エンボス部の夫々には、対応するタクティールスイッチについての表示が印刷されている。このため、一部のタクティールスイッチの用途を変える場合でも、表面シート全体を取り換える必要がある。即ち、タクティールスイッチについての表示を簡単に変更することができない。
【０００７】
そこで、本発明は、タクティールスイッチについての表示を容易に変更可能な操作パネルを提供することを目的とする。
【課題を解決するための手段】
【０００８】
本発明は、第１の操作パネルとして、
タクティールスイッチと、押圧部材と、意匠シールと、ケースと、表面シートとを備えた操作パネルであって、
前記押圧部材は、前記タクティールスイッチの上に配置されており、
前記押圧部材を下方に押圧すると前記タクティールスイッチの状態が切り替わり、
前記意匠シールは、前記押圧部材の上面に貼りつけられており、
前記ケースは、平板部を有しており、
前記平板部には、上下に開口した通過孔が形成されており、
前記押圧部材は、少なくとも部分的に前記通過孔の内部に位置しており、
前記表面シートは、平面部と、エンボス部とを有しており、
前記平面部は、前記平板部の上面に配置されており、
前記エンボス部は、前記平面部から上方に張り出しており、
前記エンボス部は、透明部を有しており、
前記透明部は、少なくとも部分的に前記通過孔の上に位置しており、
前記透明部を上方から見たとき、前記意匠シールを少なくとも部分的に視認可能である
操作パネルを提供する。
【０００９】
また、本発明は、第２の操作パネルとして、第１の操作パネルであって、
前記透明部全体が前記通過孔の上に位置している
操作パネルを提供する。
【００１０】
また、本発明は、第３の操作パネルとして、第１又は第２の操作パネルであって、
前記エンボス部は、立上り部と、頂面部とを有しており、
前記立上り部は、前記平面部から上方に向かって延びており、
前記頂面部は、前記立上り部に支持されて平面状に延びており、
前記透明部は、前記頂面部の一部である
操作パネルを提供する。
【００１１】
また、本発明は、第４の操作パネルとして、第１から第３までのいずれかの操作パネルであって、
前記タクティールスイッチは、押釦を有しており、
前記押釦を下方に押圧すると前記タクティールスイッチの前記状態が切り替わり、
前記押圧部材は、前記押釦に取り付けられたキートップであり、
前記意匠シールは、前記キートップの上面に貼りつけられている
操作パネルを提供する。
【００１２】
また、本発明は、第５の操作パネルとして、第４の操作パネルであって、
前記操作パネルは、基板を備えており、
前記タクティールスイッチは、前記基板上に取り付けられており、
前記ケースは、周壁部を有しており、
前記周壁部は、前記通過孔の内壁から前記基板まで下方に延びており、これにより、前記周壁部によって囲まれた被囲い領域が形成されており、
前記基板には、光源が設けられており、
前記光源は、前記被囲い領域内に位置しており、
前記キートップは、光透過性材料からなり、
前記意匠シールは、遮光部と、透光部とを有しており、
前記透光部は、前記遮光部に囲まれており、
前記透明部を上方から見たとき、前記遮光部の一部と前記透光部のみが視認可能である
操作パネルを提供する。
【００１３】
また、本発明は、第６の操作パネルとして、第１から第５までのいずれかの操作パネルであって、
前記操作パネルは、複数の前記タクティールスイッチと、前記タクティールスイッチに夫々対応する複数の前記押圧部材と、前記タクティールスイッチに夫々対応する複数の前記意匠シールと、１つの前記表面シートとを備えており、
前記表面シートは、１つの前記平面部と、前記タクティールスイッチに夫々対応する複数の前記エンボス部とを有しており、
前記平面部及び前記エンボス部は、互いに一体に形成されている
操作パネルを提供する。
【発明の効果】
【００１４】
本発明によれば、押圧部材の上面に貼りつけられた意匠シールは、エンボス部の透明部を通して視認できる。従って、タクティールスイッチについての表示は、意匠シールに印刷することで容易に視認できる。また、タクティールスイッチの用途を変えるような場合、例えば、変更対象のタクティールスイッチの押圧部材に貼りつけられた意匠シールを貼り変えることによって、タクティールスイッチについての表示を変更できる。即ち、本発明によれば、タクティールスイッチについての表示を容易に変更可能な操作パネルを提供できる。
【図面の簡単な説明】
【００１５】
【図１】本発明の実施の形態による操作パネルを示す斜視図である。操作パネルの一部（１点鎖線で囲んだ部分）を拡大して描画している。拡大図において、表面シートを部分的に切り欠いている。
【図２】図１の操作パネルを示す分解斜視図である。
【図３】図２の操作パネルの基板とタクティールスイッチとからなる第１構造体を示す斜視図である。タクティールスイッチは、基板に取り付けられている。第１構造体の一部（１点鎖線で囲んだ部分）を拡大して描画している。拡大図において、タクティールスイッチの押釦を押下したときの押釦の輪郭を破線で描画している。
【図４】図３の第１構造体を示す平面図である。
【図５】図３の第１構造体と図２の押圧部材とからなる第２構造体を示す斜視図である。押圧部材は、タクティールスイッチに夫々取り付けられている。押圧部材の一部（１点鎖線で囲んだ部分）を拡大して描画している。
【図６】図２の押圧部材を示す斜視図である。
【図７】図５の第２構造体を示す平面図である。押圧部材のうちの４つには、意匠シールが夫々貼りつけられている。意匠シールのうちの１つを拡大して描画している。タクティールスイッチのうちの１つについて、意匠シールによって隠された輪郭を破線で描画している。
【図８】図２の操作パネルのケースを示す斜視図である。
【図９】図６の第２構造体と図８のケースとからなる第３構造体を示す斜視図である。ケースは、基板に取り付けられている。押圧部材には、意匠シールが夫々貼りつけられている。
【図１０】図９の第３構造体を示す平面図である。
【図１１】図２の操作パネルの表面シートを示す平面図である。
【図１２】図１１の表面シートをＸＩＩ−ＸＩＩ線に沿って示す断面図である。表面シートの一部（１点鎖線で囲んだ部分）を拡大して描画している。
【図１３】図１の操作パネルを示す平面図である。表面シートの一部を拡大して描画している。拡大図において、隠れたタクティールスイッチ、押圧部材及び意匠シールの輪郭を破線で描画している。
【図１４】特許文献１のタクティールスイッチを示す断面図である。
【図１５】特許文献２のパネルスイッチを示す断面図である。
【発明を実施するための形態】
【００１６】
図１を参照すると、本発明の実施の形態による操作パネル１０は、工場内に設置された機械（図示せず）を操作するための機器である。但し、本発明は、これに限られず、様々な操作パネルに適用可能である。
【００１７】
図１及び図２を参照すると、本実施の形態による操作パネル１０は、基板２０と、複数のタクティールスイッチ４０と、タクティールスイッチ４０に夫々対応する複数の押圧部材（キートップ）５０と、タクティールスイッチ４０に夫々対応する複数の意匠シール６０と、１つのケース７０と、１つの表面シート８０とを備えている。本実施の形態におけるタクティールスイッチ４０の数は５である。但し、本発明は、これに限られない。タクティールスイッチ４０の数は５でなくてもよく、例えば１であってもよい。また、操作パネル１０は、上述した部材に加えて、更に別の部材を備えていてもよい。
【００１８】
図３及び図４に示されるように、基板２０は、上下方向（Ｚ方向）と直交する平板形状を有している。基板２０は、上面２０Ｕを有している。上面２０Ｕは、基板２０の＋Ｚ側の面であり、Ｚ方向と直交する水平面（ＸＹ平面）上を延びている。
【００１９】
本実施の形態において、タクティールスイッチ４０は、互いに同じ形状を有しており且つ同じサイズを有している。タクティールスイッチ４０の夫々は、金属製の基部４２と、絶縁体からなる押釦４６と、導電体からなる可動接点（図示せず）とを有している。基部４２は、基板２０の上面２０Ｕに半田付け等によって固定されている。可動接点は、例えば、従来のタクティールスイッチ（図１４参照）と同様に、弾性変形可能な（反転可能な）ドーム形状を有しており、可動接点が反転する際にクリック感が得られる。押釦４６は、可動接点によってＺ方向に移動可能に支持されている。但し、本発明は、これに限られない。例えば、押釦４６は、可動接点と異なる弾性部材（図示せず）によって支持されていてもよい。この場合、可動接点は、押釦４６の下端（−Ｚ側の端）に設けられていてもよい。また、タクティールスイッチ４０は、互いに多少異なる形状や多少異なるサイズを有していてもよい。
【００２０】
タクティールスイッチ４０の夫々は、基板２０上に取り付けられており、これにより、基板２０とタクティールスイッチ４０とからなる第１構造体１２が形成されている。本実施の形態によれば、２つのタクティールスイッチ４０からなる左側の列と３つのタクティールスイッチ４０からなる右側の列とが横方向（Ｘ方向）に並んでいる。各列のタクティールスイッチ４０は、縦方向（Ｙ方向）において等間隔に並んでいる。但し、本発明は、これに限られず、タクティールスイッチ４０は、基板２０の上面２０Ｕに、どのように配置されていてもよい。
【００２１】
基板２０の上面２０Ｕには、タクティールスイッチ４０に夫々対応する複数の固定接点群（図示せず）が設けられている。固定接点群は、例えば、従来のタクティールスイッチ（図１４参照）と同様に、互いに離れた複数の固定接点（導電体：図示せず）から構成されており、基板２０に設けられた信号線（図示せず）を経由して制御装置（図示せず）に接続されている。
【００２２】
図３を参照すると、タクティールスイッチ４０の夫々において、押釦４６が下方（−Ｚ方向）に向かう力を受けていないとき、タクティールスイッチ４０の可動接点（図示せず）は、対応する所定の固定接点（図示せず）から離れて上方（＋Ｚ側）に位置している。このとき、タクティールスイッチ４０は、非導通状態（ＯＦＦ状態）にある。一方、押釦４６が押下されると、可動接点が所定の固定接点と接触し、これにより、固定接点群は、可動接点を経由して互いに電気的に接続される。この結果、タクティールスイッチ４０の状態は、非導通状態から導通状態（ＯＮ状態）に切り替わる。即ち、押釦４６を下方に押圧するとタクティールスイッチ４０の状態が切り替わり、制御装置（図示せず）に対して、押釦４６が押下されたことを示す信号が信号線（図示せず）を経由して送られる。
【００２３】
上述したように、本実施の形態によれば、押釦４６の押下によってタクティールスイッチ４０の状態が切り替わる。但し、本発明は、これに限られず、可動接点（図示せず）が所定の固定接点（図示せず）と接触することでタクティールスイッチ４０の状態が切り替わる限り、タクティールスイッチ４０の構造は特に限定されない。
【００２４】
図３及び図４を参照すると、本実施の形態において、基板２０には、１以上の光源３０が設けられている。即ち、操作パネル１０は、１以上の光源３０を備えている。光源３０の夫々は、電源（図示せず）に接続されており、これにより発光している。本実施の形態による光源３０は、ＬＥＤ（light emitting diode）である。但し、光源３０は、ＬＥＤに限られず、どのような発光体であってもよい。また、光源３０は、常に発光していてもよいし、タクティールスイッチ４０がＯＮ状態にあるときにのみ発光してもよい。また、光源３０は、異なる色で夫々発光する２種類の光源３０を含んでいてもよい。この場合、タクティールスイッチ４０のＯＮ／ＯＦＦ状態に応じて、２種類の光源３０のうちの一方を選択的に発光させてもよい。更に、光源３０は、異なる色で夫々発光する３種類以上の光源３０を含んでいてもよい。
【００２５】
本実施の形態によれば、３つのタクティールスイッチ４０の夫々に対応して、４つの光源３０が設けられている。光源３０は、対応するタクティールスイッチ４０をＸＹ平面において囲んでいる。詳しくは、光源３０のうちの２つは、対応するタクティールスイッチ４０をＸ方向に挟んでおり、光源３０のうちの他の２つは、対応するタクティールスイッチ４０をＹ方向に挟んでいる。本実施の形態によれば、２つのタクティールスイッチ４０に対しては、光源３０が設けられていない。但し、本発明は、これに限られない。例えば、タクティールスイッチ４０の全てに対して、１以上の光源３０が設けられていてもよく、タクティールスイッチ４０のいずれに対しても光源３０が設けられていなくてもよい。
【００２６】
図５及び図６を参照すると、本実施の形態において、押圧部材５０は、互いに同じ形状を有しており且つ同じサイズを有している。本実施の形態による押圧部材５０の夫々は、樹脂等の絶縁体からなる成型体であり、上面５０Ｕと、上板部５２と、４つの側板部５４と、押圧部５６と、２つの取付部５８とを有している。上板部５２は、押圧部材５０の上端（＋Ｚ側の端）に位置しており、ＸＹ平面において矩形形状を有している。上板部５２のＸＹ平面における中間部は、下方に向かって僅かに凹んでおり、これにより上面５０Ｕ（＋Ｚ側の面）が形成されている。側板部５４は、上板部５２の４辺から下方に向かって夫々延びている。押圧部５６は、上板部５２の下端に設けられている。２つの取付部５８は、Ｙ方向において対向しつつ、押圧部５６から下方に向かって延びている。但し、本発明は、これに限られない。例えば、上板部５２は、ＸＹ平面において円形状を有していてもよい。
【００２７】
図５及び図７を参照すると、本実施の形態において、押圧部材５０の夫々は、対応するタクティールスイッチ４０に取り付けられており、これにより、第１構造体１２（図３参照）と押圧部材５０とからなる第２構造体１４が形成されている。
【００２８】
図３、図５及び図６を参照すると、押圧部材５０の夫々は、対応するタクティールスイッチ４０の上に配置されている。本実施の形態によれば、押圧部材５０の夫々において、２つの取付部５８は、対応する押釦４６をＹ方向に挟み込んでおり、押圧部５６は、対応する押釦４６の上に位置している。このように配置された押圧部材５０を下方に押圧すると、押圧部５６が対応する押釦４６を下方に移動させ（図３の拡大図における破線参照）、これによりタクティールスイッチ４０の状態が切り替わる。本実施の形態において、押圧部材５０の夫々は、対応する押釦４６に取り付けられたキートップ５０である。但し、本発明は、これに限られない。例えば、押圧部材５０の夫々は、取付部５８を有しておらず、押圧部５６は、上板部５２と別体のスイッチスペーサであってもよい。この場合、押圧部５６は、押釦４６に取り付けられることなく、対応する押釦４６と上板部５２との間に置かれていてもよい。更に、別の変形例によれば、キートップ５０が設けられておらず、可動接点（図示せず）又は可動接点と異なる弾性部材（図示せず）によって支持された押釦自体が押圧部材（キートップ）として機能してもよい。
【００２９】
図７を参照すると、本実施の形態における意匠シール６０の夫々は、薄い矩形シールである。意匠シール６０の夫々には、対応するタクティールスイッチ４０についての「ＰＯＷＥＲ１」といった表示が印刷されている。
【００３０】
詳しくは、意匠シール６０の夫々は、透明度の高いシール基材層（図示せず）と、透明度の高い保護膜（図示せず）と、粘着剤層（図示せず）とを有している。シール基材層の下面（−Ｚ側の面）には、「ＰＯＷＥＲ１」といった透明な表示部を囲むようにして、黒色等の明度及び透明度の低い背景色が印刷されている。保護膜は、シール基材層の下面全体を覆っている。粘着剤層は、保護膜の下面のうちシール基材層に印刷された背景色に対応する部分を覆っていてもよいし、透明度の高い粘着剤からなる粘着剤層によって保護膜の下面全体を覆っていてもよい。以上のように形成された意匠シール６０の夫々は、遮光部６２と、透光部６６とを有している。本実施の形態において、遮光部６２は、背景色が印刷された部位であり、透光部６６は、「ＰＯＷＥＲ１」といった表示部である。但し、本発明は、これに限られず、意匠シール６０の構造は、表示部が識別できる限り、様々に変形可能である。
【００３１】
意匠シール６０の夫々は、意匠シール６０の粘着剤層（図示せず）によって、対応する押圧部材（キートップ）５０の上面５０Ｕに貼りつけられている。本実施の形態において、押圧部材（キートップ）５０の夫々は、光透過性材料からなる。このため、意匠シール６０を貼りつける前の押圧部材５０を見ると、ある程度、タクティールスイッチ４０を視認できる（図７の右上の押圧部材５０参照）。一方、意匠シール６０を貼りつけた後の押圧部材５０を見ると、タクティールスイッチ４０は、意匠シール６０の遮光部６２に覆われており、殆ど視認できない（図７の右下の押圧部材５０参照）。
【００３２】
図８を参照すると、本実施の形態によるケース７０は、樹脂等の絶縁体からなる成型体であり、連続した１つの平板部７２と、タクティールスイッチ４０（図３参照）に夫々対応する複数の周壁部７８と、様々な形状の被固定部７９とを有している。平板部７２は、ケース７０の上端に位置しており、ＸＹ平面と平行に延びる平板形状を有している。平板部７２は、上面７２Ｕを有している。上面７２Ｕは、平板部７２の＋Ｚ側の面であり、ＸＹ平面上を延びている。周壁部７８の夫々は、平板部７２の下端から下方に向かって延びている。被固定部７９の夫々は、平板部７２の下端に設けられている。
【００３３】
平板部７２には、上下に開口した複数の通過孔７６が形成されている。本実施の形態において、通過孔７６は、周壁部７８に夫々対応している。詳しくは、通過孔７６の夫々は、ＸＹ平面において内壁７４によって囲まれている。周壁部７８の夫々は、対応する通過孔７６の内壁７４から隙間なく連続して下方に延びている。但し、本発明は、これに限られず、ケース７０の構造は、様々に変形可能である。例えば、ケース７０は、周壁部７８を有していなくてもよい。
【００３４】
図９を参照すると、本実施の形態において、ケース７０は、第２構造体１４（図５参照）に取り付けられており、これにより、第２構造体１４とケース７０とからなる第３構造体１６が形成されている。本実施の形態において、ケース７０は、被固定部７９によって基板２０の上面２０Ｕに直接的に固定されている。但し、基板２０へのケース７０の取付方法は、これに限られず、様々に変形可能である。例えば、ケース７０は、板金から形成してもよい。この場合、ケース７０は、絶縁体からなるシート（図示せず）を介して上面２０Ｕに対して間接的に取り付けてもよい。
【００３５】
ケース７０の周壁部７８の夫々は、対応する通過孔７６の内壁７４から基板２０の上面２０Ｕまで、対応するタクティールスイッチ４０（図３参照）及び押圧部材５０をＸＹ平面において囲みつつ下方に延びており、これにより、内壁７４及び周壁部７８によって囲まれた被囲い領域７８Ｒが形成されている。即ち、被囲い領域７８Ｒの夫々は、対応する通過孔７６を含む空間である。押圧部材５０の夫々は、対応する被囲い領域７８Ｒの内部に位置している。特に、押圧部材５０の夫々は、少なくとも部分的に、対応する通過孔７６の内部に位置している。詳しくは、本実施の形態において、押圧部材５０の夫々の上面５０Ｕは、ケース７０の上面７２Ｕよりも僅かに下方に位置しており、対応する通過孔７６の内部に位置している。但し、本発明は、これに限られない。例えば、押圧部材５０の夫々の上面５０Ｕは、ケース７０の上面７２Ｕよりも多少上方に位置していてもよい。
【００３６】
本実施の形態において、ケース７０は、光を殆ど透過しない材料から形成されている。一方、押圧部材５０の夫々は、前述したように透明度の高い材料から形成されている。また、図１０に示されるように、タクティールスイッチ４０（図３参照）の夫々について、対応する４つの光源３０は、被囲い領域７８Ｒ内に位置しており、且つ、対応する押圧部材５０をＸＹ平面において囲んでいる。このため、光源３０の光は、通過孔７６を通過して上方に放射される。特に、光源３０の光の一部は、押圧部材５０の上面５０Ｕ及び意匠シール６０の透光部６６を通過して上方に放射される。
【００３７】
本実施の形態において、周壁部７８の夫々の下端は、基板２０の上面２０Ｕと接触している。即ち、被囲い領域７８Ｒの夫々は、ＸＹ平面において隙間なく囲まれている。このため、光源３０の光は、上方にのみ放射される。但し、本発明は、これに限られない。例えば、周壁部７８の夫々の下端と基板２０の上面２０Ｕとの間には、多少の隙間が形成されていてもよい。
【００３８】
図１１及び図１２を参照すると、本実施の形態による表面シート８０は、ＰＥＴ（polyethylene terephthalate）等の絶縁体からなり、連続した１つの平面部８２と、タクティールスイッチ４０（図３参照）に夫々対応する複数のエンボス部８６とを有している。平面部８２は、ＸＹ平面上を連続して延びている。エンボス部８６の夫々は、平面部８２から上方に張り出している。即ち、表面シート８０は、エンボス部８６の夫々において上方に凹んでいる。エンボス部８６の夫々は、切れ目なく平面部８２に繋がっており、表面シート８０を破損しない限り、平面部８２から分離できない。即ち、平面部８２及び全てのエンボス部８６は、互いに一体に形成されている。
【００３９】
エンボス部８６の夫々は、立上り部８６２と、頂面部８６６と、透明部８６８とを有している。透明部８６８は、頂面部８６６の一部である。本実施の形態によれば、表面シート８０は、高い透明度を有する絶縁体からなり、且つ、表面シート８０のうち透明部８６８を除く部位の下面には、遮光性の高い印刷が施されている。一方、透明部８６８の下面には、このような印刷が施されていない。従って、平面部８２、立上り部８６２、及び、頂面部８６６のうち透明部８６８を除く部位は、光を殆ど透過させない一方、透明部８６８は、光を良好に透過させる。但し、本発明は、これに限られず、表面シート８０は、エンボス部８６の夫々において透光性が高い透明部８６８が形成されている限り、どのように形成してもよい。
【００４０】
立上り部８６２は、平面部８２から上方に向かって、ＸＹ平面において窄みつつ延びている。頂面部８６６は、立上り部８６２に支持されてＸＹ平面と平行に平面状に延びている。本実施の形態において、透明部８６８は、頂面部８６６のＸＹ平面における内側部である。但し、本発明は、これに限られない。例えば、エンボス部８６（透明部８６８）は、全体としてドーム形状を有していてもよい。
【００４１】
図１及び図１３を参照すると、表面シート８０の平面部８２は、ケース７０の平板部７２の上面７２Ｕに配置されており、これにより、第３構造体１６（図１１参照）と表面シート８０とからなる操作パネル１０が形成されている。
【００４２】
表面シート８０のエンボス部８６は、ケース７０の通過孔７６に夫々対応する位置に形成されている。表面シート８０をケース７０に取り付けると、エンボス部８６の夫々において、頂面部８６６は、対応する通過孔７６内部の押圧部材５０の上に位置する。本実施の形態の表面シート８０は、破損し難く且つ十分な可撓性を有している。加えて、エンボス部８６と押圧部材５０との間には、エンボス部８６の変形を阻む部材が設けられていない。このため、頂面部８６６を下方に押圧すると、頂面部８６６は、エンボス部８６の変形に伴って下方に向かって必要な移動距離を移動し、押圧部材５０の上面５０Ｕを下方に押圧する。この結果、タクティールスイッチ４０の状態がＯＮ状態に切り替わる。また、頂面部８６６を下方に押圧した際、エンボス部８６の変形及びタクティールスイッチ４０の可動接点（図示せず）の反転によって、しっかりしたクリック感が得られる。
【００４３】
本実施の形態によれば、頂面部８６６は、押圧されていないとき、押圧部材５０の上面５０Ｕに貼りつけられた意匠シール６０から僅かに間隔をあけて上方に位置している。但し、頂面部８６６は、押圧されていないとき、押圧部材５０や意匠シール６０と接触していてもよい。上述のいずれの場合にも、意匠シール６０は、頂面部８６６の押圧操作を邪魔せず、且つ、押圧操作の際のクリック感を損なわない。
【００４４】
本実施の形態の表面シート８０は、可撓性を有する一方伸縮し難い材料から形成されている。加えて、本実施の形態によれば、平面部８２は、上面７２Ｕに貼りつけられて固定されており、これにより、通過孔７６への異物の侵入が防止されている。即ち、表面シート８０は、異物の侵入を防止する保護シートとして機能する。但し、本発明は、これに限られない。例えば、平面部８２を固定具（図示せず）によって平板部７２に固定してもよい。
【００４５】
エンボス部８６の夫々は、対応する通過孔７６の上に位置している。特に、エンボス部８６の透明部８６８は、少なくとも部分的に通過孔７６の上に位置している。透明部８６８を上方から見たとき、意匠シール６０を少なくとも部分的に視認可能である。即ち、押圧部材５０の上面５０Ｕに貼りつけられた意匠シール６０は、エンボス部８６の透明部８６８を通して視認できる。従って、タクティールスイッチ４０についての「ＰＯＷＥＲ１」といった表示は、意匠シール６０に印刷することで容易に視認できる。
【００４６】
本実施の形態によれば、エンボス部８６の透明部８６８全体が通過孔７６の上に位置している。このため、意匠シール６０の視認が容易である。但し、本発明は、これに限られず、透明部８６８は、通過孔７６の上に部分的に位置していてもよい。
【００４７】
本実施の形態によれば、タクティールスイッチ４０に対して光源３０（図３参照）が設けられている場合、光源３０の光は、意匠シール６０の透光部６６及びエンボス部８６の透明部８６８を通過して上方に放射される。このため、意匠シール６０に印刷されたタクティールスイッチ４０についての表示を鮮明に視認できる。但し、前述したように、タクティールスイッチ４０に対して光源３０を設けなくてもよい。この場合、押圧部材５０は、光を殆ど透過しない材料から形成してもよい。また、タクティールスイッチ４０についての表示は、白等の明度が高く且つ透明度が低い色によって意匠シール６０に印刷してもよい。即ち、意匠シール６０は、必要に応じて透光部６６を有していればよい。
【００４８】
本実施の形態によれば、透明部８６８を上方から見たとき、意匠シール６０の遮光部６２の一部と透光部６６のみが視認可能である。特に、透明部８６８を上方から見たとき、意匠シール６０の透光部６６全体が視認可能である。このため、意匠シール６０に印刷された表示の視認が容易である。但し、本発明は、これに限られない。例えば、透明部８６８を上方から見たとき、意匠シール６０以外の部材が僅かに視認できてもよい。また、透明部８６８を上方から見たとき、透光部６６の一部が視認できなくてもよい。
【００４９】
本実施の形態によれば、タクティールスイッチ４０の用途を変えるような場合、例えば、変更対象のタクティールスイッチ４０の押圧部材５０に貼りつけられた意匠シール６０を貼り変えることによって、タクティールスイッチ４０についての表示を変更できる。加えて、変更対象のタクティールスイッチ４０の押圧部材５０を取り換えることによっても、タクティールスイッチ４０についての表示を変更できる。また、操作パネル１０を作製する際、タクティールスイッチ４０の用途に応じた意匠シール６０を貼りつけることにより、操作対象の様々な機械に対して共通の表面シート８０を使用できる。即ち、本実施の形態によれば、タクティールスイッチ４０についての表示を容易に変更可能な操作パネル１０を提供できる。
【符号の説明】
【００５０】
１０        操作パネル
１２        第１構造体
１４        第２構造体
１６        第３構造体
２０        基板
２０Ｕ      上面
３０        光源
４０        タクティールスイッチ
４２        基部
４６        押釦
５０        押圧部材（キートップ）
５０Ｕ      上面
５２        上板部
５４        側板部
５６        押圧部
５８        取付部
６０        意匠シール
６２        遮光部
６６        透光部
７０        ケース
７２        平板部
７２Ｕ      上面
７４        内壁
７６        通過孔
７８        周壁部
７８Ｒ      被囲い領域
７９        被固定部
８０        表面シート
８２        平面部
８６        エンボス部
８６２      立上り部
８６６      頂面部
８６８      透明部
【図１】
2019186018.tif 000003
【図２】
2019186018.tif 000004
【図３】
2019186018.tif 000005
【図４】
2019186018.tif 000006
【図５】
2019186018.tif 000007
【図６】
2019186018.tif 000008
【図７】
2019186018.tif 000009
【図８】
2019186018.tif 000010
【図９】
2019186018.tif 000011
【図１０】
2019186018.tif 000012
【図１１】
2019186018.tif 000013
【図１２】
2019186018.tif 000014
【図１３】
2019186018.tif 000015
【図１４】
2019186018.tif 000016
【図１５】
2019186018.tif 000017